(57)【要約】【課題】配信経路の切替え制御による高信頼性を確保と共に一度のみのコンテンツ配信においても回線特性に応じた瞬断時または配信経路切替状態に出力されるコンテンツに対して配信を保証する。【解決手段】自局受信状態信号受信部１０１または他局受信状態信号受信部１０３からの受信状態信号に基づき一定時間以内または以上のコンテンツの配信不可を判定する回線判定部１０２，１０４と、一定時間以内の配信不可の場合にはコンテンツ配信経路は同一とし、配信不可の状態に配信されるコンテンツを一時蓄積し、コンテンツ配信可能に回復後、配信不可になった状態から前記コンテンツの配信を開始し、一定時間以上の配信不可の場合には、配信可能な回線種別または配信経路に切替えると共に切替え処理中に配信されるコンテンツを一時蓄積し切替え完了後、配信不可になった状態から前記コンテンツの配信を開始するコンテンツ送出部１０５とを備える。【選択図】  図１
2005311430.tif 000002
【特許請求の範囲】
【請求項１】
複数種の通信プラットフォームを経由するコンテンツ配信システムにおいて、
自局受信状態信号受信部と、他局受信状態信号受信部と、前記いずれかの受信部からの信号に基づきコンテンツの配信を行うか否かの判定を行う回線判定部と、前記判定部における判定結果に基づきコンテンツの配信を行うコンテンツ送出部とを有し、
前記自局受信状態信号受信部が、自局の受信状態信号を監視する過程と、  前記他局受信状態信号受信部が、配信先の他局から送信される受信状態信号を監視する過程と、  前記回線判定部が、前記自局受信状態信号受信部または前記他局受信状態信号受信部から受信状態信号を受けた後に、この信号に基づき一定時間以内または一定時間以上のコンテンツの配信が可能でないかを判定する過程と、  前記コンテンツ送出部が、
前記判定結果が一定時間以内の配信が可能でない場合には、コンテンツを配信する経路は同一とし、配信不可の状態に配信されるコンテンツを一時蓄積し、コンテンツ配信可能に回復後、配信不可になった状態から前記コンテンツの配信を開始し、
前記判定結果が一定時間以上の配信が可能でない場合には、配信可能な回線種別または配信経路に切替えると共に切替え処理中に配信されるコンテンツを一時蓄積し、切替え完了後、配信不可になった状態から前記コンテンツの配信を開始する過程を実行する過程と
を有することを特徴とするコンテンツ送信制御方法。
【請求項２】
複数種の通信プラットフォームの状態監視において、
前記回線判定部が、予めネットワークの回線特性と優先割とに基づく回線情報を登録しており、
前記自局受信状態信号受信部または他局受信状態信号受信部が、ネットワークの受信状況信号を定期的に受信する過程と、
前記回線判定部が、前記受信した受信状況信号と前記予め登録している回線情報とを照合する過程と、この照合結果に基づきコンテンツの配信が可能であるか否かを判定する過程と、判定結果に基づいて配信不可の事象が一時的な瞬断であるかまたは継続的な回線断であるかの判断を行う過程とを実行する過程と
を有することを特徴とする請求項１記載のコンテンツ送信制御方法。
【請求項３】
コンテンツの配信において、コンテンツ送出部は、
コンテンツの配信を行うパケットフレームにおけるヘッダ部にパケット番号を意味する情報を記録する過程と、前記ヘッダ部にパケット種別を意味する情報を記録する過程とを実行すること
を特徴とする請求項１または２記載のコンテンツ送信制御方法。
【請求項４】
映像コンテンツの配信において、コンテンツ送出部は、
映像コンテンツ配信フレームとして規定されているＤＶＢフレームのヘッダ部先頭より１２ｂｉｔから２５ｂｉｔまでのＰＩＤ情報を意味する領域に対してパケット番号を意味する情報を記録し、パケット番号領域の差分をＰＩＤ領域とする過程と、前記ヘッダ部先頭より１１ｂｉｔの領域にパケット種別を意味する情報を記録する過程とを実行すること
を特徴とする請求項３記載のコンテンツ送信制御方法。
【請求項５】
複数種の通信プラットフォームを経由するコンテンツ配信システムにおいて、
自局の受信状態信号を監視する自局受信状態信号受信部と、  配信先の他局から送信される受信状態信号を監視する他局受信状態信号受信部と、  前記自局受信状態信号受信部または前記他局受信状態信号受信部から受信状態信号を受けた後に、この信号に基づき一定時間以内または一定時間以上のコンテンツの配信が可能でないかを判定する回線判定部と、
前記判定結果が一定時間以内の配信が可能でない場合には、コンテンツを配信する経路は同一とし、配信不可の状態に配信されるコンテンツを一時蓄積し、コンテンツ配信可能に回復後、配信不可になった状態から前記コンテンツの配信を開始し、
前記判定結果が一定時間以上の配信が可能でない場合には、配信可能な回線種別または配信経路に切替えると共に切替え処理中に配信されるコンテンツを一時蓄積し、切替え完了後、配信不可になった状態から前記コンテンツの配信を開始するコンテンツ送出部と
を備えたことを特徴とするコンテンツ送信制御装置。
【請求項６】
複数種の通信プラットフォームの状態監視において、
前記回線判定部が、予めネットワークの回線特性及び優先割等に基づく回線情報を登録しており、
前記自局受信状態信号受信部または他局受信状態信号受信部が、ネットワークの受信状況信号を定期的に受信し、
前記回線判定部が、前記受信した受信状況信号と前記予め登録している回線情報とを照合し、この照合結果に基づきコンテンツの配信が可能であるか否かを判定した後、この判定結果に基づいて配信不可の事象が一時的な瞬断であるか若しくは継続的な回線断であるかの判断を行うこと
を特徴とする請求項５記載のコンテンツ送信制御装置。
【請求項７】
コンテンツの配信において、コンテンツ送出部は、コンテンツの配信を行うパケットフレームにおけるヘッダ部にパケット番号を意味する情報を記録した後、前記ヘッダ部にパケット種別を意味する情報を記録すること
を特徴とする請求項５または６記載のコンテンツ送信制御装置。
【請求項８】
映像コンテンツの配信において、コンテンツ送出部は、映像コンテンツ配信フレームとして規定されているＤＶＢフレームのヘッダ部先頭より１２ｂｉｔから２５ｂｉｔまでのＰＩＤ情報を意味する領域に対してパケット番号を意味する情報を記録し、パケット番号領域の差分をＰＩＤ領域とした後、前記ヘッダ部先頭より１１ｂｉｔの領域にパケット種別を意味する情報を記録すること
を特徴とする請求項７記載のコンテンツ送信制御装置。
【発明の詳細な説明】
【技術分野】
【０００１】
本発明は、複数種の通信プラットフォームを経由するコンテンツ配信において、高信頼なコンテンツ送受信制御方法とその装置に関する。
【背景技術】
【０００２】
図１３は従来技術（例えば特許文献１に示された冗長構成ネットワーク管理システム）におけるコンテンツ送受信システムの概略図である。コンテンツ１３０を発信する発局１３は、自局受信状態信号受信部１３１と自局回線判定部１３２と配信状況信号受信部１３３と回線切替判定部１３４とコンテンツ受信・送出部１３５とを備えている。中継局１４ａ，ｂはコンテンツ受信・送出部１４０ａ，ｂを備えている。受局１５は、配信状況信号送出部１５１とコンテンツ受信判定部１５２とコンテンツ受信・送出部１５３とを備え、受信したコンテンツ１５０を送出している。
【０００３】
従来、複数種の通信プラットフォームを経由するコンテンツ配信において、高信頼なコンテンツ配信を実現するためには、図１３に示したコンテンツ送受信システムのように、配信経路の切替え（移動体におけるサイトダイバーシチ等）とＥｎｄ−ｔｏ−Ｅｎｄによる送達確認（ＴＣＰ／ＩＰによる再送制御等）とを組み合わせることで、コンテンツ配信の高信頼性を確保していた。つまり、図１４に示した制御回線マトリックスように、１次元的な切替え制御であった。
【特許文献１】特開２００３−０９９３３８号公報
【発明の開示】
【発明が解決しようとする課題】
【０００４】
しかしながら、回線種別よっては、条件により全く通信が不可能になる状況もあり（衛星通信における台風時等）、その場合の信頼性確保は不可能であった。さらに、図１５に示すように、映像コンテンツの放送型ストリーミング配信に代表される一度のみのコンテンツ配信においては、ネットワーク上になんらかの障害が発生した場合、配信経路の切替えを実施したとしても、切替え中に配信される情報は欠落し、配信コンテンツの完全性保証という観点での高信頼性の確保までは至っていない。  本発明は、かかる事情に鑑みなされたもので、その目的は、回線種別も含めた配信経路の切替え制御による高信頼性を確保し、さらに一度のみのコンテンツ配信においても、回線特性に応じた瞬断時または配信経路切替え状態に出力されるコンテンツに対して配信を保証する高信頼なコンテンツ配信制御方法とその装置の提供である。
【課題を解決するための手段】
【０００５】
そこで、本発明の配信制御方法とその装置は、複数の種類の通信プラットフォームを経由するコンテンツ配信において、自局回線判定部、他周回線判定部、コンテンツバッファリング処理部を備え、自局・他局の同線判定部で回線が一定時間より短い間配信できない時（瞬断時）、コンテンツをバッファリングしておき、その間にダミーパケットを送信し、送信が可能になったら一定時間分のタイムシフト配信を行なっている。また、一定時間より長い間配信できないの時は、配信が可能であるネットワークヘの切替を行い、その処理中にはダミーパケットを送信し、切替完了後にコンテンツバッファリング部よりデータの配信を行っている。
【０００６】
すなわち、本発明のコンテンツ送信制御方法としては、複数種の通信プラットフォームを経由するコンテンツ配信システムにおいて、自局受信状態信号受信部と、他局受信状態信号受信部と、前記いずれかの受信部からの信号に基づきコンテンツの配信を行うか否かの判定を行う回線判定部と、前記判定部における判定結果に基づきコンテンツの配信を行うコンテンツ送出部とを有し、
前記自局受信状態信号受信部が自局の受信状態信号を監視する過程と、
前記他局受信状態信号受信部が配信先の他局から送信される受信状態信号を監視する過程と、
前記回線判定部が前記自局受信状態信号受信部または前記他局受信状態信号受信部から受信状態信号を受けた後にこの信号に基づき一定時間以内または一定時間以上のコンテンツの配信が可能でないかを判定する過程と、
前記コンテンツ送出部が、前記判定結果が一定時間以内の配信が可能でない場合には、コンテンツを配信する経路は同一とし、配信不可の状態に配信されるコンテンツを一時蓄積し、コンテンツ配信可能に回復後、配信不可になった状態から前記コンテンツの配信を開始し、
前記判定結果が一定時間以上の配信が可能でない場合には、配信可能な回線種別または配信経路に切替えると共に切替え処理中に配信されるコンテンツを一時蓄積し、切替え完了後、配信不可になった状態から前記コンテンツの配信を開始する過程を実行する過程とを有する。
【０００７】
本発明のコンテンツ送信制御装置は、複数種の通信プラットフォームを経由するコンテンツ配信システムにおいて、
自局の受信状態信号を監視する自局受信状態信号受信部と、
配信先の他局から送信される受信状態信号を監視する他局受信状態信号受信部と、
前記自局受信状態信号受信部または前記他局受信状態信号受信部から受信状態信号を受けた後に、この信号に基づき一定時間以内または一定時間以上のコンテンツの配信が可能でないかを判定する回線判定部と、
前記判定結果が一定時間以内の配信が可能でない場合には、コンテンツを配信する経路は同一とし、配信不可の状態に配信されるコンテンツを一時蓄積し、コンテンツ配信可能に回復後、配信不可になった状態から前記コンテンツの配信を開始し、
前記判定結果が一定時間以上の配信が可能でない場合には、配信可能な回線種別または配信経路に切替えると共に切替え処理中に配信されるコンテンツを一時蓄積し、切替え完了後、配信不可になった状態から前記コンテンツの配信を開始するコンテンツ送出部とを備える。
【０００８】
以上のコンテンツ送信制御方法及びその装置において、複数種の通信プラットフォームの状態監視する際、前記回線判定部が予めネットワークの回線特性と優先割とに基づく回線情報を登録しており、
前記自局受信状態信号受信部または他局受信状態信号受信部がネットワークの受信状況信号を定期的に受信する過程と、
前記回線判定部が、前記受信した受信状況信号と前記予め登録している回線情報とを照合する過程と、この照合結果に基づきコンテンツの配信が可能であるか否かを判定する過程と、判定結果に基づいて配信不可の事象が一時的な瞬断であるかまたは継続的な回線断であるかの判断を行う過程とを実行する過程とを有するものがある。
【０００９】
また、コンテンツの配信において、コンテンツ送出部は、コンテンツの配信を行うパケットフレームにおけるヘッダ部にパケット番号を意味する情報を記録する過程と、前記ヘッダ部にパケット種別を意味する情報を記録する過程とを実行するものがある。
【００１０】
さらに、映像コンテンツの配信において、コンテンツ送出部が、映像コンテンツ配信フレームとして規定されているＤＶＢフレームのヘッダ部先頭より１２ｂｉｔから２５ｂｉｔまでのＰＩＤ情報を意味する領域に対してパケット番号を意味する情報を記録し、パケット番号領域の差分をＰＩＤ領域とする過程と、前記ヘッダ部先頭より１１ｂｉｔの領域にパケット種別を意味する情報を記録する過程とを実行するものがある。
【発明の効果】
【００１１】
本発明によれば、複数種の通信プラットフォームを経由するコンテンツ配信において、複数の回線種別および回線経路を動的に制御可能な冗長機能を実現し、かつストリーミング配信のような一度のみのコンテンツ配信においても、配信コンテンツに対する完全性が高まる。
【発明を実施するための最良の形態】
【００１２】
本発明の実施の形態について図面を参照しながら説明する。
【００１３】
本発明のコンテンツ配信方法は、複数の回線種別の配信状態を基地局間単位で監視することで、基地局間単位での配信コンテンツの送達確認が行なえる。つまり、図２に示した制御回線マトリックスのように、２次元的な切替え制御が可能としている。
【００１４】
また、図３に示したストリーミングコンテンツ配信方式のように、回線瞬断もしくは配信経路の切替え処理等を原因とする一時的な配信ができない状態が発生した場合、回線回復もしくは切替え後に、配信できない状態が発生した時点からの配信制御（タイムシフト配信）を行うことで、受局は既存技術によるデータ受信を行うことで、伝送損失が生じた場合でも準リアルタイムに全コンテンツのデータが受信可能となり、コンテンツの完全性を重視した準リアルタイムな配信を実現する。
【００１５】
特に、本発明のパケットフレームにおいては、図４に示したパケットフレームのように、配信パケットのヘッダ部にパケット番号およびパケット種別を意味する情報を記載することで、リアルタイム視聴に対しては、リアルタイム配信を実現するための送受信設備およびネットワークに対する同期およびコネクションの維持を保障し、蓄積視聴に対しては、配信できない状態で発生したパケットの破棄および不整合を生じさせないコンテンツ構築を実現する。
【００１６】
また、回線断が生じた場合、原因が回線特性に応じた一時的な瞬断であるか、回復が見込めないための回線もしくは経路切替えであるかの判定について、回線特性および優先割当情報等を記載したリスト情報の登録・照会を行うことで、エンドユーザに意識させずに自動的かつ高速な回線制御を可能とする。
【００１７】
（実施形態例１）  図１及び図５〜図１１を参照しながら本実施形態例について説明する。
【００１８】
ここでは、映像コンテンツの放送型ストリーミング配信に代表される一度のみのコンテンツ配信において、準リアルタイムに高信頼配信制御を実現し、かつ配信終了後は、受信局において送信コンテンツと同一のコンテンツ構築を保証する本発明の実施形態例が示されている。特に、本実施形態例では、配信先の受信状況信号を伝送するアップリンク回線の常時確保が困難もしくは確保不可であるシステム構成への適用を想定する。
【００１９】
本実施形態のコンテンツ配信制御システムは、複数種の通信プラットフォームを経由するコンテンツ配信系において、複数の回線種別の送受信部およびコンテンツバッファリング部を有することで、複数の中継局の選択に加えて回線種別を含めた冗長切替え、さらに回線特性に応じた瞬断発生時若しくは回線切替え中に配信されるコンテンツに対して、回線回復後または切替え後に、配信できない状態のタイミングからの配信を行うことが可能となる。
【００２０】
また、冗長切替えおよびコンテンツバッファリング部に対する制御に関し、伝送パケットのヘッダ部に対して制御情報を記載することで、回線状態を維持しつつ整合性を確保したパケット管理が実現する。
【００２１】
図１は本実施形態におけるシステム構成を示した概略図である。
【００２２】
本実施形態における発局１０は、自局受信状態信号受信部１０１と、自局回線判定部１０２と、他局受信状態信号受信部１０３と、他局回線判定部１０４と、コンテンツ受信・送出部１０５と、コンテンツバッファリング処理部１０６と、配信ＮＷ切替え部１０７とを備える。従来のシステムと異なる機能部は、自局回線判定部１０２と、他局回線判定部１０４と、コンテンツ受信・送出部１０５である。
【００２３】
自局回線判定部１０２は、自局からネットワークに対する配信状況を示す受信状態信号を自局受信状態信号受信部１０１より受信し（例えば図５に示された形態では無線通信方式における電界強度等を受信）、この信号に基づいてコンテンツを配信できる（ＯＫ）か、できない（ＮＧ）かの判定を行う。
【００２４】
他局回線判定部１０４は、他局（ここでは例えば中継局２０）における受信状態信号を他局受信状態信号受信部１０３より受信し、この信号に基づいてコンテンツを配信できる（配信ＯＫ）か、配信できない（配信ＮＧ）かの判定を行う。
【００２５】
自局回線判定部１０２及び他局回線判定部１０４における配信ＯＫ・ＮＧの判定においては、図６に示した回線リストのような回線特性および優先割当等を反映した回線情報に対する照合に基づくことで、配信ＮＧの事象が一時的な瞬断であるか、または継続的な回線断であるかの判断を行う。
【００２６】
コンテンツ受信・送出部１０５は、自局回線判定部１０２及び他局回線判定部１０４の判定結果を受信し、この判定結果に基づいてコンテンツバッファリング部１０６と配信ＮＷ切替え部１０７の制御を行う。
【００２７】
また、本実施形態において中継局２０も発局１０と同じ構成要素を備えている。すなわち、中継局２０ａ，ｂは、自局受信状態信号受信部２０１ａ，ｂと、自局回線判定部２０２ａ，ｂと、他局受信状態信号受信部２０３ａ，ｂと、他局回線判定部２０４ａ，ｂと、コンテンツ受信・送出部２０５ａ，ｂと、コンテンツバッファリング処理部２０６ａ，ｂと、配信ＮＷ切替え部２０７ａ，ｂとを備え、後述の発局１０と同様の処理を実行できる（図１２においても同様）。また、中継局２０ａ，ｂは、自局受信状態信号を他局に送出するための手段としての自局受信状態信号送出部２０８ａ，ｂを備えている。尚、本実施形態例のコンテンツ送信システムにおいては二つの中継局２０が介在しているが、本発明のコンテンツ送信システムはこの中継局の数に限定されない。
【００２８】
さらに、本実施形態における受局３０は、自局受信状態信号送出部３０１と、自局回線判定部３０２と、コンテンツ受信・送出部３０３とを備える。従来のシステムと異なる機能部は自局回線判定部３０２とコンテンツ受信・送出部３０３である。
【００２９】
自局回線判定部３０２は、コンテンツ受信・送出部３０３を介してコンテンツの受信状態を受信し、この信号に基づいてコンテンツを受信できる（受信ＯＫ）か、受信できない（受信ＮＧ）かの判定を行う。
【００３０】
コンテンツ受信・送出部３０３は、コンテンツを受信し、受信可能な複数回線において同時受信処理の制御を実施し、受信完了後には、回線断もしくは冗長切替え等で発生したダミーパケットの削除および重複・欠落パケットをなくす整合性管理を行う。
【００３１】
特に、自局回線判定部３０１における受信ＯＫ・ＮＧの判定においては、図６に示したような回線特性および優先割当等を反映した回線情報に対する照合に基づくことで、配信ＮＧの事象が一時的な瞬断であるか、継続的な回線断であるかの判断を行う。
【００３２】
本実施形態のコンテンツ送信制御システムの動作例について説明する。
【００３３】
１）現在通信中の回線において、自局からの通信状態が悪い場合の処理シーケンスを図５〜図８に示した。
【００３４】
図５に示されたように、発局１０では、定期的に基地局（ＮＷ）から自局の通信状態を監視する。回線種別が無線通信であれば例えば受信電界強度等を監視する。自局受信状態信号受信部１０１は該当の信号を受信すると、この信号を自局回線判定部１０２に供給（入力）する。自局回線判定部１０２は入力された状態信号に対して、図６に示したような回線リストとの照合に基づく判定を行い、判定結果をコンテンツ受信・送出部１０５へ出力する。
【００３５】
コンテンツ受信・送出部１０５は、入力された判定結果に応じて以下の処理（１）または（２）を実行する。
【００３６】
（１）判定結果が一定時間以内の配信がＮＧの場合（つまり一時的な瞬断の状態の場合）、コンテンツバッファリング部１０６への制御を行い一定時間分（回線が復旧するまでの期間）のタイムシフト配信を実施する（図５）。
【００３７】
この処理の詳細シーケンスを図７に示した。すなわち、自局受信状態がＯＫである場合、コンテンツバファリング部１０６は、判定結果に応じたヘッダの編集処理を行う。自局受信状態がＮＧである場合、コンテンツバファリング部１０６は、自局受信状態がＯＫになるまで、ダミーパケットを出力し、コンテンツはバファリングする。その後、自局受信状態がＯＫとなった場合、コンテンツバファリング部１０６は、バファリングしたコンテンツを出力する。
【００３８】
（２）判定結果が一定時間以上の配信がＮＧの場合（回線の即時復旧が見込まれない状態の場合）、配信ＯＫであるＮＷ・中継局２０への回線切替えを実施し、回線切替え処理中の配信コンテンツについてタイムシフト配信を実施する（図５）。
【００３９】
この詳細シーケンスを図８に示した。すなわち、自局受信状態がＯＫである場合、コンテンツバファリング部１０６は、判定結果に応じたヘッダの編集処理を行う。自局受信状態がＮＧである場合、配信ＮＷ切替部１０７は判定結果に応じた回線切り替え処理を行い、この回線切り替え制御が終了するまでダミーパケットを出力し、コンテンツはバファリングする。その後、自局受信状態がＯＫとなった場合、コンテンツバファリング部１０６は、バファリングしたコンテンツを出力する。
【００４０】
特に、伝送を行うパケットフレームにおいては、本実施形態では映像コンテンツの放送型ストリーミング配信を対象としている。そして、映像コンテンツ配信フレームとして規定されているＤＶＢフレーム（ＭＰＥＧ２−ＴＳ）において、図１１に示したパケットフレームのように、ヘッダ部にパケット番号およびパケット種別を意味する情報を記録することで、本実施形態例における処理を可能とする。例えば、映像コンテンツ配信フレームとして規定されているＤＶＢフレームのヘッダ部先頭より１２ｂｉｔから２５ｂｉｔまでのＰＩＤ情報を意味する領域に対してパケット番号を意味する情報を記録し、パケット番号領域の差分をＰＩＤ領域とし、そして、前記ヘッダ部先頭より１１ｂｉｔの領域にパケット種別を意味する情報を記録するとよい。
【００４１】
尚、本実施形態例では、アップリンク回線の常時確保が困難または確保不可の場合を考慮し、配信先である他局において単独で冗長切替えを可能とするために、配信ＮＧではないＮＷ及び中継局２０が複数存在する場合は、複数回線へのコンテンツ配信を実施する。
【００４２】
２）現在通信中の回線において、配信先の中継局における受信状態が悪い場合（システム構成においてアップリンク回線の確保が可能な場合）の処理シーケンスを図５、図９及び図１０に示した。
【００４３】
発局１０では、配信先の中継局２０から送出される中継局２０でのコンテンツ受信状態信号を監視する。
【００４４】
他局受信状態信号受信部１０３は、該当の信号を受信すると、この信号を他局回線判定部１０４に供給（入力）する。
【００４５】
他局回線判定部１０４は、入力された状態信号に対して、図６に示したような回線リストとの照合に基づく判定を行い、判定結果をコンテンツ受信・送出部１０５へ供給（出力）する。
【００４６】
コンテンツ受信・送出部１０５は、入力された判定結果に応じて以下の（３）若しくは（４）の処理を実行する。
【００４７】
（３）判定結果が一定時間以内の配信がＮＧの場合（つまり一時的な瞬断の状態）、バッファリング処理部への制御を行い一定時間分（回線が復旧するまでの期間）のタイムシフト配信を実施している（図５）。
【００４８】
この処理の詳細シーケンスを図９に示した。すなわち、他局受信状態がＯＫである場合、コンテンツバファリング部１０６は、判定結果に応じたヘッダの編集処理を行う。自局受信状態がＮＧである場合、コンテンツバファリング部１０６は、他局受信状態がＯＫになるまで、ダミーパケットを出力し、コンテンツはバファリングする。その後、他局受信状態がＯＫとなった場合、コンテンツバファリング部１０６は、バファリングしたコンテンツを出力する。
【００４９】
（４）判定結果が一定時間以上の配信がＮＧの場合（つまり回線の即時復旧が見込まれない状態）、配信ＯＫであるＮＷ・中継局への回線切替えを実施し、回線切替え処理中の配信コンテンツについてタイムシフト配信を実施している。
【００５０】
この処理の詳細シーケンスを図１０に示した。すなわち、他局受信状態がＯＫである場合、コンテンツバファリング部１０６は、判定結果に応じたヘッダの編集処理を行う。他局受信状態がＮＧである場合、配信ＮＷ切替部１０７は判定結果に応じた回線切り替え処理を行い、この回線切り替え制御が終了するまでダミーパケットを出力し、コンテンツはバファリングする。その後、他局受信状態がＯＫとなった場合、回線切替完了後、コンテンツバファリング部１０６は、バファリングしたコンテンツを出力する。
【００５１】
また、伝送を行うパケットフレームにおいても、前述のように図１１に示したようなパケットフレームを用いることで、本実施例における処理を可能とする。
【００５２】
ネットワークの冗長機能に関して従来は１次元的な制御を実施していたが、本実施形態のコンテンツ送信制御システムによれば、前述の１）及び２）の機能により２次元的な制御が可能となりコンテンツの配信において信頼性が向上する。
【００５３】
特に、コンテンツ配信状況の自動判定、判定結果に基づくコンテンツバッファリング部並びに配信ＮＷ切替え部に対する配信制御及び映像コンテンツ配信フレームとして規定されるパケットフレームとの互換性を継承した制御情報の記述により、映像コンテンツの放送型ストリーミング配信に代表される一度のみのコンテンツ配信において、準リアルタイムに高信頼配信制御を実現し、かつ配信終了後は、受信局において送信コンテンツと同一のコンテンツ構築が可能となる。
【００５４】
（実施形態例２）
図１２は本実施形態における処理シーケンスを示した概略図である。
【００５５】
ここでは、映像コンテンツの放送型ストリーミング配信に代表される一度のみのコンテンツ配信において、準リアルタイムに高信頼配信制御を実現し、かつ配信終了後は、受信局において送信コンテンツと同一のコンテンツ構築を行なう。特に、本実施形態例では、配信先の受信状況信号を伝送するアップリンク回線が常時確保可能なシステム構成への適用を想定している。
【００５６】
本実施形態のシステム構成は図１に示した実施形態例１のものと同様の構成である。以下に本実施形態のコンテンツ送信制御システムの動作例について説明する。
【００５７】
１）現在通信中の回線において自局からの通信状態が悪い場合の処理シーケンスを図１２に示した。
【００５８】
本実施形態例と実施形態例１との違いは、コンテンツ受信・送出部１０５における（２）の処理である（図１２）。実施形態例１では、配信先である他局の受信状況が把握不可能な状況を想定し、他局における単独の冗長切替えを考慮し、配信ＮＧではない複数の回線に対してコンテンツ配信を実施した。本実施の形態では、受信局の回線状況を把握可能であり、さらに回線リソースの効率的利用を考慮し、配信回線は１回線としている。
【００５９】
２）現在通信中の回線において配信先の中継局における受信状態が悪い場合における処理シーケンスを図１２に示した。本実施形態における処理シーケンス動作は前述の実施形態例１係る処理シーケンスのものと同様である。
【００６０】
このように本実施形態のコンテンツ送信制御システムにおいても、コンテンツ配信状況の自動判定、判定結果に基づくコンテンツバッファリング部並びに配信ＮＷ切替え部に対する配信制御及び映像コンテンツ配信フレームとして規定されるパケットフレームとの互換性を継承した制御情報の記述により、映像コンテンツの放送型ストリーミング配信に代表される一度のみのコンテンツ配信において、準リアルタイムに高信頼配信制御を実現し、かつ配信終了後は、受信局において送信コンテンツと同一のコンテンツ構築が可能となる。
【図面の簡単な説明】
【００６１】
【図１】実施形態例１のシステム構成を示した概略図。
【図２】本発明における制御回線マトリックス。
【図３】本発明におけるストリーミングコンテンツ配信方式の説明図。
【図４】本発明におけるパケットフレーム。
【図５】実施形態例１における処理シーケンス。
【図６】実施形態例１における回線リスト。
【図７】実施形態例１における処理（１）の詳細シーケンス。
【図８】実施形態例１における処理（２）の詳細シーケンス。
【図９】実施形態例１における処理（３）の詳細シーケンス。
【図１０】実施形態例１における処理（４）の詳細シーケンス。
【図１１】実施形態例１におけるパケットフレーム。
【図１２】実施形態例２における処理シーケンス。
【図１３】従来技術におけるコンテンツ送受信システムの概略図。
【図１４】従来技術における制御回線マトリックス。
【図１５】従来技術におけるストリーミングコンテンツ配信方式の説明図。
【符号の説明】
【００６２】
１０…発局、１０１…自局（発局）受信状態信号受信部、１０２…自局（発局）回線判定局、１０３…他局（中継局）受信状態信号受信部、１０４…他局（中継局）回線判定部、１０５…コンテンツ受信・送出部、１０６…コンテンツバッファリング部、１０７…配信ＮＷ（ネットワーク）切替部
２０ａ，ｂ…中継局、２０１ａ，ｂ…自局（発局）受信状態信号受信部、２０２ａ，ｂ…自局（発局）回線判定局、２０３ａ，ｂ…他局（中継局）受信状態信号受信部、２０４ａ，ｂ…他局（中継局）回線判定部、２０５ａ，ｂ…コンテンツ受信・送出部、２０６ａ，ｂ…コンテンツバッファリング部、２０７ａ，ｂ…配信ＮＷ（ネットワーク）切替部
３０…受局、３０１…自局（受局）受信状態信号送出部、３０２…自局（受局）回線判定部、３０３…コンテンツ受信・送出部
【図１】
2005311430.tif 000003
【図２】
2005311430.tif 000004
【図３】
2005311430.tif 000005
【図４】
2005311430.tif 000006
【図５】
2005311430.tif 000007
【図６】
2005311430.tif 000008
【図７】
2005311430.tif 000009
【図８】
2005311430.tif 000010
【図９】
2005311430.tif 000011
【図１０】
2005311430.tif 000012
【図１１】
2005311430.tif 000013
【図１２】
2005311430.tif 000014
【図１３】
2005311430.tif 000015
【図１４】
2005311430.tif 000016
【図１５】
2005311430.tif 000017